(57)【要約】【課題】洗浄液の汚染及び洗浄液供給口の目詰まりの発生を抑制可能なインクジェット記録装置を提供する。【解決手段】インクジェット記録装置は、インク吐出領域Ｒ１を有するワイピング面に接触してワイピング方向Ａ１へ移動し、インク吐出領域Ｒ１のワイピングを行う。インクジェット記録装置は、制御部１１０によって送液ポンプ７２及び開閉弁７３を制御することで、チューブ７０を介して洗浄液タンク７１の洗浄液を洗浄液供給部６０に供給する。制御部１１０は、送液ポンプ７２が駆動停止状態にされている駆動停止期間のうちのワイピングを行う実行期間においてチューブ７０が閉鎖状態になるように開閉弁７３を制御する。また、制御部１１０は、駆動停止期間のうちの実行期間以外の非実行期間においてチューブ７０が開放状態になるように開閉弁７３を制御する。【選択図】図３
2018114660.tif 000002
【特許請求の範囲】
【請求項１】
インクが吐出されるインク吐出ノズルと、
前記インク吐出ノズルが設けられたインク吐出領域を有するワイピング面に接触して予め定められたワイピング方向へ移動し、前記インク吐出領域のワイピングを行うワイパー部材と、
前記ワイピング面における前記インク吐出領域よりも前記ワイピング方向の上流側に設けられ、前記ワイパー部材による前記インク吐出領域のワイピングに用いる洗浄液を供給する洗浄液供給部と、
前記洗浄液供給部から供給する前記洗浄液を収容する洗浄液収容部と、
前記洗浄液収容部から前記洗浄液供給部に前記洗浄液を移動させるための洗浄液流路と、
前記洗浄液流路において前記洗浄液を移動させる動力を付与する駆動部と、
前記洗浄液流路において前記洗浄液を移動させる駆動状態及び前記洗浄液の移動を停止する駆動停止状態のいずれかに前記駆動部を制御する駆動制御部と、
前記駆動部と前記洗浄液供給部との間に設けられ、前記洗浄液流路が開放した開放状態と、前記洗浄液流路が閉鎖した閉鎖状態とを切り替える切替部と、
前記切替部を制御して前記切替部に前記開放状態及び前記閉鎖状態のいずれかを選択させる切替制御部と、を備え、
前記切替制御部は、
前記駆動制御部によって前記駆動部が前記駆動停止状態にされている駆動停止期間のうちの前記ワイパー部材によって前記ワイピングを行う実行期間において、前記洗浄液流路が前記閉鎖状態になるように前記切替部を制御し、
前記駆動停止期間のうちの前記実行期間以外の非実行期間において、前記洗浄液流路が前記開放状態になるように前記切替部を制御するインクジェット記録装置。
【発明の詳細な説明】
【技術分野】
【０００１】
本発明は、記録ヘッドから記録媒体にインクを吐出して記録媒体に画像を記録するインクジェット記録装置に関し、特に、記録ヘッドのインク吐出面を洗浄可能なインクジェット記録装置に関する。
【背景技術】
【０００２】
一般に、記録ヘッドのノズルから用紙などの記録媒体にインクを吐出して、記録媒体に画像を記録するインクジェット記録装置が知られている。このインクジェット記録装置では、ノズルからインク滴が吐出されると、ノズル周辺に飛び散ったインクや、ノズルから溢れ出したインクがインク吐出面に付着することがある。この場合、ノズル周辺に付着したインクによってインクの吐出方向が目的方向からずれること、又はインクの吐出量が目的量とは異なることで、画像記録不良を生じることがある。
【０００３】
一方、ノズル周辺に付着したインクを洗浄するために記録ヘッドのインク吐出面をワイパー部材によってワイピングするインクジェット記録装置が知られている。また、インク吐出面に複数の洗浄液供給口を設け、複数の洗浄液供給口からインク吐出面に洗浄液を供給してワイピングを行うインクジェット記録装置も知られている（例えば特許文献１参照）。
【先行技術文献】
【特許文献】
【０００４】
【特許文献１】特開２００７−８３４９６号公報
【発明の概要】
【発明が解決しようとする課題】
【０００５】
しかしながら、インク吐出面のワイピングを行う場合、インク吐出面から除去した廃インクなどのインクがワイパー部材に付着した状態になることがある。ワイパー部材にインクが付着した状態でインク吐出面のワイピングを行うと、洗浄液供給口からインクが浸入することで洗浄液供給口の洗浄液が汚染されるおそれがある。また、ワイパー部材のインクが洗浄液供給口に付着すると、洗浄液供給口の目詰まりが発生するおそれがある。特に、洗浄液供給口の洗浄液が乾燥した場合、洗浄液供給口の目詰まりが発生しやすくなる。
【０００６】
本発明は、洗浄液の汚染及び洗浄液供給口の目詰まりの発生を抑制可能なインクジェット記録装置を提供することを目的にする。
【課題を解決するための手段】
【０００７】
本発明の一の局面に係るインクジェット記録装置は、インク吐出ノズル、ワイパー部材、洗浄液供給部、洗浄液収容部、洗浄液流路、駆動部、駆動制御部、切替部及び切替制御部を備える。前記インク吐出ノズルは、インクが吐出される部分である。前記ワイパー部材は、前記インク吐出ノズルが設けられたインク吐出領域を有するワイピング面に接触して予め定められたワイピング方向へ移動し、前記インク吐出領域のワイピングを行う。前記洗浄液供給部は、前記ワイピング面における前記インク吐出領域よりも前記ワイピング方向の上流側に設けられ、前記ワイパー部材による前記インク吐出領域のワイピングに用いる洗浄液を供給する。前記洗浄液収容部は、前記洗浄液供給部から供給する前記洗浄液を収容する。前記洗浄液流路は、前記洗浄液収容部から前記洗浄液供給部に前記洗浄液を移動させるためのものである。前記駆動部は、前記洗浄液流路において前記洗浄液を移動させる動力を付与する。前記駆動制御部は、前記洗浄液流路において前記洗浄液を移動させる駆動状態及び前記洗浄液の移動を停止する駆動停止状態のいずれかに前記駆動部を制御する。前記切替部は、前記駆動部と前記洗浄液供給部との間に設けられ、前記洗浄液流路が開放した開放状態と、前記洗浄液流路が閉鎖した閉鎖状態とを切り替える。前記切替制御部は、前記切替部を制御して前記切替部に前記開放状態及び前記閉鎖状態のいずれかを選択させる。また、前記切替制御部は、前記駆動制御部によって前記駆動部が前記駆動停止状態にされている駆動停止期間のうちの前記ワイパー部材によって前記ワイピングを行う実行期間において、前記洗浄液流路が前記閉鎖状態になるように前記切替部を制御する。さらに、前記切替制御部は、前記駆動停止期間のうちの前記実行期間以外の非実行期間において、前記洗浄液流路が前記開放状態になるように前記切替部を制御する。
【発明の効果】
【０００８】
本発明によれば、洗浄液の汚染及び洗浄液供給口の目詰まりの発生を抑制可能なインクジェット記録装置を提供できる。
【図面の簡単な説明】
【０００９】
【図１】図１は、本発明の一実施形態の記録ヘッドを備えたインクジェット記録装置の構造を示す図である。
【図２】図２は、図１に示すインクジェット記録装置の第１搬送ユニット及び記録部を上方から見た図である。
【図３】図３は、記録部の記録ヘッド、及び記録部の洗浄液供給部材に洗浄液を供給する機構を説明するための図である。
【図４】図４は、記録ヘッドをインク吐出面側から見た図である。
【図５】図５は、記録ヘッド及びその周辺部分を斜め下方から見た図である。
【図６】図６は、記録ヘッド及びその周辺部分を斜め上方から見た図である。
【図７】図７は、洗浄液供給部材を斜め下方から見た図である。
【図８】図８は、制御部の動作を説明するためのブロック図である。
【図９】図９は、メンテナンスユニットを記録部の下方に配置した状態を示す図である。
【図１０】図１０は、ワイパー部材を記録ヘッドの下方に配置した状態を示す図である。
【図１１】図１１は、図１０の状態からワイパー部材を上昇させ洗浄液供給部材に圧接させた状態を示す図である。
【図１２】図１２は、図１１の状態からワイパー部材をワイピング方向に移動させた状態を示す図である。
【図１３】図１３は、図１２の状態からワイパー部材をワイピング方向にさらに移動させた状態を示す図である。
【図１４】図１４は、図１３の状態からワイパー部材を下降させた状態を示す図である。
【発明を実施するための形態】
【００１０】
以下、図面を参照しながら、本発明の実施形態について説明する。なお、以下に説明される実施形態は本発明を具体化した一例にすぎず、本発明の技術的範囲を限定するものではない。
【００１１】
図１に示すように、本発明の一実施形態のインクジェット記録装置１００の左側部には用紙Ｓ（記録媒体）を収容する給紙トレイ２が設けられている。この給紙トレイ２の一端部には、給紙ローラー３及び従動ローラー４が設けられている。給紙ローラー３は、給紙トレイ２に収容された用紙Ｓを、最上位の用紙Ｓから順に一枚ずつ後述する第１搬送ユニット５へと搬送給紙する。従動ローラー４は給紙ローラー３の回転に従動して回転する。
【００１２】
給紙ローラー３及び従動ローラー４に対する用紙搬送方向Ｘの下流側（図１の右側）には、第１搬送ユニット５及び記録部９が配置されている。第１搬送ユニット５は、第１駆動ローラー６と、第１従動ローラー７と、第１駆動ローラー６及び第１従動ローラー７に掛け渡された第１搬送ベルト８とを有する。第１搬送ユニット５は、インクジェット記録装置１００の制御部１１０からの制御信号によって第１駆動ローラー６が図１の時計回り方向に回転駆動されることで、第１搬送ベルト８に保持された用紙Ｓを用紙搬送方向Ｘに沿って搬送する。
【００１３】
記録部９は、ヘッドハウジング１０、及びヘッドハウジング１０に保持されたラインヘッド１１Ｃ，１１Ｍ，１１Ｙ，１１Ｋを備えている。これらのラインヘッド１１Ｃ〜１１Ｋは、第１搬送ベルト８の搬送面に対して所定の間隔（例えば１ｍｍ）だけ離間する高さに支持される。ラインヘッド１１Ｃ〜１１Ｋの記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００１４】
図２に示すように、ラインヘッド１１Ｃ〜１１Ｋは、それぞれ複数（ここでは３個）の記録ヘッド１７ａ〜１７ｃを有する。記録ヘッド１７ａ〜１７ｃは、それぞれヘッド部１８を有する。各ラインヘッド１１Ｃ〜１１Ｋにおいて、ヘッド部１８は、用紙搬送方向Ｘと直交する用紙幅方向Ａ（図２の上下方向）に沿って千鳥状に配列されている。
【００１５】
図３及び図４に示すように、ヘッド部１８は、複数のインク吐出ノズル１８ａ（図２参照）が配列されたインク吐出領域Ｒ１を含むインク吐出面Ｆ１を有する。インク吐出ノズル１８ａは、下部開口を有する。この下部開口は、用紙Ｓにインクを吐出するインク吐出口である。また、インク吐出面Ｆ１は、本発明のワイピング面を構成する。なお、記録ヘッド１７ａ〜１７ｃは同一の形状及び構成であるため、図３及び図４では記録ヘッド１７ａ〜１７ｃを一つの図で示している。
【００１６】
各記録ヘッド１７ａ〜１７ｃは、制御部１１０（図１参照）からの制御信号により外部コンピューターから受信した画像データに応じて、第１搬送ベルト８の搬送面に吸着保持されて搬送される用紙Ｓに向かってインク吐出ノズル１８ａからインクを吐出する。これにより、第１搬送ベルト８上の用紙Ｓにはシアン、マゼンタ、イエロー及びブラックの４色のインクが重ね合わされたカラー画像が形成される。なお、制御部１１０は、後述の送液ポンプ７２及び開閉弁７３を制御する。制御部１１０による送液ポンプ７２及び開閉弁７３を制御については後述する。
【００１７】
また、記録ヘッド１７ａ〜１７ｃには、インク吐出領域Ｒ１のワイピングに用いる洗浄液２３（図１０参照）を供給する洗浄液供給部材６０（本発明の洗浄液供給部の一例）が設けられている。洗浄液供給部材６０は、ヘッド部１８に対して後述するワイパー部材３５のワイピング方向Ａ１の上流側（図３及び図４の右側）に隣接して配置されている。ここで、ワイピング方向Ａ１は、インク吐出面Ｆ１を洗浄するときに、移動開始位置Ｐ１から移動停止位置Ｐ２に向けてワイパー部材３５がインク吐出面Ｆ１に接触して移動する方向である（図１１〜図１３参照）。洗浄液供給部材６０は、洗浄液を供給する複数の洗浄液供給口６３（図７参照）が列状に配列された洗浄液供給領域Ｒ２を含む洗浄液供給面Ｆ２を有する。なお、洗浄液供給部材６０の少なくとも洗浄液供給面Ｆ２は、樹脂又はＳＵＳ（ステンレス鋼）によって形成されている。ヘッド部１８の少なくともインク吐出面Ｆ１は、例えばＳＵＳ（ステンレス鋼）によって形成されている。また、洗浄液供給面Ｆ２は、インク吐出面Ｆ１と共に、本発明のワイピング面を構成する。なお、ワイピング面は、インク吐出面Ｆ１を洗浄するときにワイパー部材３５の移動時にワイパー部材３５が接触する面である。
【００１８】
図３〜図５に示すように、洗浄液供給部材６０の洗浄液供給面Ｆ２に対するワイピング方向Ａ１の上流側（図３〜図５の右側）の部分には、傾斜面６２が形成されている。洗浄液供給面Ｆ２のワイピング方向Ａ１の下流側（図３〜図５の左側）の部分は、薄板状に形成されており、ヘッド部１８のインク吐出面Ｆ１の端部に重なって配置されている。
【００１９】
図３、図５及び図６に示すように、洗浄液供給部材６０にはチューブ７０が接続されている。なお、図３、図５及び図６では、理解を容易にするために、一部の記録ヘッド１７ａ〜１７ｃのみを描いている。
【００２０】
チューブ７０は、洗浄液を移動させる内部空間７０１（本発明の洗浄液流路の一例）を有する。また、チューブ７０は、複数の分岐部を有する。本実施形態では、チューブ７０は、１２個の分岐部を有し、各分岐部が記録ヘッド１７ａ〜１７ｃの洗浄液供給部材６０に接続されている。チューブ７０は、洗浄液タンク７１（本発明の洗浄液収容部の一例）に接続されている。洗浄液タンク７１は、洗浄液供給部材６０に供給する洗浄液を収容する。また、チューブ７０には、送液ポンプ７２（本発明の駆動部の一例）及び開閉弁７３（本発明の切替部の一例）が設けられている。
【００２１】
送液ポンプ７２は、チューブ７０の内部空間７０１において洗浄液を移動させる動力を付与する。送液ポンプ７２としては、公知のものを使用でき、微量な液体を洗浄液供給口６３から定量で供給できる容積式ポンプが好ましい。この容積式ポンプとしては、例えばシリンジポンプ、ピストンポンプ、プランジャーポンプ、ギアポンプを使用できる。
【００２２】
開閉弁７３は、送液ポンプ７２と洗浄液供給部材６０との間に設けられている。開閉弁７３は、チューブ７０の内部空間７０１が開放した開放状態と、チューブ７０の内部空間７０１が閉鎖した閉鎖状態とを切り替える。開閉弁７３としては、制御部１１０による開閉制御が可能であれば特に制限はなく、公知のものを使用できる。
【００２３】
送液ポンプ７２及び開閉弁７３は、制御部１１０によって動作が制御される。図８に示すように、制御部１１０は、ポンプ制御部１１１（本発明の駆動制御部の一例）及び開閉弁制御部１１２（本発明の切替制御部の一例）を有する。
【００２４】
ポンプ制御部１１１は、送液ポンプ７２の動作制御を行う。具体的には、ポンプ制御部１１１は、洗浄液供給部材６０に洗浄液を供給するときには、チューブ７０の内部空間７０１において洗浄液を移動させる駆動状態に送液ポンプ７２の動作制御を行う。一方、ポンプ制御部１１１は、洗浄液供給部材６０に洗浄液を供給しないときには、チューブ７０の内部空間７０１の洗浄液の移動を停止する駆動停止状態に送液ポンプ７２の動作制御を行う。
【００２５】
開閉弁制御部１１２は、チューブ７０の内部空間７０１の開放状態及び閉鎖状態のいずれかの状態を開閉弁７３に選択させる動作制御を行う。具体的には、開閉弁制御部１１２は、送液ポンプ７２が駆動状態にされて洗浄液供給部材６０に洗浄液を供給するときには、チューブ７０の内部空間７０１を開放状態にする動作制御を行う。また、開閉弁制御部１１２は、送液ポンプ７２が駆動停止状態にされて送液ポンプ７２が洗浄液供給部材６０に洗浄液を供給しない駆動停止期間のうちのワイパー部材３５によるワイピング（図１０〜図１４参照）を実行する期間において、チューブ７０の内部空間７０１が閉鎖状態になるように開閉弁７３を制御する。一方、開閉弁制御部１１２は、前記駆動停止期間のうちのワイピングを実行しない期間では、チューブ７０の内部空間７０１が開放状態になるように開閉弁７３を制御する。
【００２６】
このインクジェット記録装置１００では、制御部１１０のポンプ制御部１１１及び開閉弁制御部１１２によって送液ポンプ７２及び開閉弁７３の動作制御を行うことで、全ての記録ヘッド１７ａ〜１７ｃに対して洗浄液供給部材６０の洗浄液供給口６３（図７参照）から洗浄液２３（図１０参照）を供給する。また、インクジェット記録装置１００では、後述する洗浄液２３を用いてワイパー部材３５によりインク吐出面Ｆ１を拭き取ることで、インク吐出領域Ｒ１の洗浄を行う（図１０〜図１４参照）。インク吐出領域Ｒ１の洗浄は、例えば長期間におけるインクジェット記録装置１００の停止後の印字開始時、印字動作間（例えばシート間、ジョブ間）に実行される。
【００２７】
図１に戻って、第１搬送ユニット５に対する用紙搬送方向Ｘの下流側（図１の右側）には第２搬送ユニット１２が配置されている。第２搬送ユニット１２は、第２駆動ローラー１３と、第２従動ローラー１４と、第２駆動ローラー１３及び第２従動ローラー１４に掛け渡された第２搬送ベルト１５とを有する。第２搬送ユニット１２は、第２駆動ローラー１３が図１の時計回り方向に回転駆動されることにより、第２搬送ベルト１５に保持された用紙Ｓが用紙搬送方向Ｘに沿って搬送される。
【００２８】
記録部９によってインクによる画像が記録された用紙Ｓは第２搬送ユニット１２へと送られる。用紙Ｓの表面のインクは、第２搬送ユニット１２を通過する間に乾燥される。また、第２搬送ユニット１２の下方にはメンテナンスユニット１９及びキャップユニット９０が配置されている。メンテナンスユニット１９は、上述したワイパー部材３５によるワイピング動作を実行する際に記録部９の下方に移動する。また、メンテナンスユニット１９は、記録ヘッド１７ａ〜１７ｃの洗浄液供給口６３から供給された洗浄液２３（図７及び図１０参照）をインク吐出面Ｆ１に塗布しつつ拭き取り、拭き取られた洗浄液を回収する。キャップユニット９０は、記録ヘッド１７ａ〜１７ｃのインク吐出面Ｆ１（図３参照）をキャッピングする際に記録部９の下方に水平移動する。さらに、キャップユニット９０は、記録部９の下方から上方に移動することで、記録ヘッド１７ａ〜１７ｃの下面を被覆する。
【００２９】
また、第２搬送ユニット１２に対する用紙搬送方向Ｘの下流側には、画像が記録された用紙Ｓを装置外へと排出する排出ローラー対１６が設けられている。排出ローラー対１６の下流側には、装置外へと排出された用紙Ｓが積載される排出トレイ（不図示）が設けられている。
【００３０】
メンテナンスユニット１９は、インク吐出面Ｆ１に沿って移動可能な複数のワイパー部材３５（図１０〜図１４参照）と、複数のワイパー部材３５が固定された略矩形状のキャリッジ（不図示）と、キャリッジを支持する支持フレーム（不図示）とを備える。前記キャリッジは前記支持フレームに対し用紙幅方向Ａ（図２参照）に摺動可能に支持される。
【００３１】
ワイパー部材３５は、各記録ヘッド１７ａ〜１７ｃの洗浄液供給口６３から供給された洗浄液２３（図７及び図１０参照）をインク吐出面Ｆ１に塗布しつつ拭き取るための弾性部材（例えばＥＰＤＭからなるゴム製の部材）である。ワイパー部材３５は、洗浄液供給部材６０の洗浄液供給領域Ｒ２に対してワイピング方向Ａ１の上流側の傾斜面６２に圧接され、前記キャリッジの移動により洗浄液供給面Ｆ２及びインク吐出面Ｆ１（ワイピング面）に沿って前記ワイピング面に密着して移動する。これにより、ワイパー部材３５によって前記ワイピング面が清掃される。
【００３２】
次に、本実施形態のインクジェット記録装置１００でのメンテナンスユニット１９を用いた記録ヘッド１７ａ〜１７ｃの回復動作について説明する。なお、以下で説明する記録ヘッド１７ａ〜１７ｃの回復動作は、制御部１１０（図１参照）からの制御信号に基づいて記録ヘッド１７ａ〜１７ｃ、メンテナンスユニット１９などの動作を制御することによって実行される。
【００３３】
記録ヘッド１７ａ〜１７ｃの回復動作を行う場合、先ず、図９に示すように、制御部１１０（図１参照）は記録部９の下方に位置する第１搬送ユニット５を下降させる。そして、制御部１１０は第２搬送ユニット１２の下方に配置されたメンテナンスユニット１９を水平移動させて記録部９と第１搬送ユニット５との間に配置する。この状態では、メンテナンスユニット１９のワイパー部材３５は記録ヘッド１７ａ〜１７ｃのインク吐出面Ｆ１及び洗浄液供給面Ｆ２よりも下方に配置されている（図１０参照）。このとき、送液ポンプ７２がポンプ制御部１１１によって駆動停止状態に制御され、開閉弁７３が開閉弁制御部１１２によってチューブ７０の内部空間７０１が開放状態になるように制御されている。
【００３４】
（洗浄液供給動作）
図１０に示すように、後述のワイピング動作に先立って、ポンプ制御部１１１が送液ポンプ７２を駆動状態に制御することで、洗浄液２３が洗浄液供給部材６０に供給される。供給された洗浄液２３は洗浄液供給口６３から所定量だけ洗浄液供給領域Ｒ２に供給される。なお、ワイピング動作を実行する期間以外では、洗浄液供給動作を実行する期間を含めて、チューブ７０の内部空間７０１が、開閉弁制御部１１２による開閉弁７３の制御によって開放状態に維持されている。そのため、ポンプ制御部１１１によって送液ポンプ７２を駆動状態に制御することで、開閉弁７３を開放状態にするまでもなく、洗浄液供給部材６０に洗浄液２３を供給することができる。また、洗浄液供給領域Ｒ２に所定量の洗浄液が供給された場合には、ポンプ制御部１１１が送液ポンプ７２を駆動停止状態に制御することで、洗浄液供給部材６０への洗浄液２３の供給が停止される。
【００３５】
（パージ動作）
また、後述のワイピング動作に先立って、制御部１１０によってインク２２が記録ヘッド１７ａ〜１７ｃに供給される。供給されたインク２２はインク吐出ノズル１８ａから強制的にパージされる。このパージ動作により、インク吐出ノズル１８ａ内の増粘インク、異物や気泡がインク吐出ノズル１８ａから排出される。このとき、パージインク２２はインク吐出ノズル１８ａの存在するインク吐出領域Ｒ１の形状に沿ってインク吐出面Ｆ１に押し出される。
【００３６】
（ワイピング動作）
図１１に示すように、制御部１１０は、ワイパー部材３５を上昇させて記録ヘッド１７ａ〜１７ｃの洗浄液供給部材６０の傾斜面６２に所定の圧力で接触させる。傾斜面６２にワイパー部材３５が接触し、ワイパー部材３５がワイピング方向Ａ１に移動する前の位置は、ワイピング動作時のワイパー部材３５の移動開始位置Ｐ１である。また、開閉弁制御部１１２は、送液ポンプ７２が駆動停止状態にされて洗浄液供給領域Ｒ２への所定量の洗浄液の供給が終了してから、ワイパー部材３５のワイピング方向Ａ１への移動が開始するまでの間に、チューブ７０の内部空間７０１が閉鎖状態になるように開閉弁７３を制御する。
【００３７】
図１２に示すように、制御部１１０は、ワイパー部材３５の先端が洗浄液供給部材６０の傾斜面６２に圧接した状態から、ワイパー部材３５を洗浄液供給面Ｆ２に沿ってインク吐出領域Ｒ１に向けてワイピング方向Ａ１に沿って移動させる。このとき、ポンプ制御部１１１によって送液ポンプ７２が駆動停止状態に維持され、開閉弁制御部１１２によってチューブ７０の内部空間７０１が閉鎖状態になるように開閉弁７３が制御されている。
【００３８】
そして、図１３に示すように、ワイパー部材３５は、洗浄液２３を保持した状態を維持しながらインク吐出面Ｆ１をワイピング方向Ａ１に沿って移動する。このとき、洗浄液２３及びパージインク２２（図１１参照）によって、インク吐出面Ｆ１に付着して固化したインク滴（廃インク）が溶解し、ワイパー部材３５によって拭き取られる。そして、ワイパー部材３５は、さらにワイピング方向Ａ１に沿って移動し、インク吐出領域Ｒ１に対して洗浄液供給領域Ｒ２とは反対側の移動停止位置Ｐ２に到達すると、ワイピング方向Ａ１への移動が停止される。なお、ワイパー部材３５によって拭き取られた洗浄液２３、廃インク及びパージインク２２は、メンテナンスユニット１９に設けられた洗浄液回収トレイ（不図示）に回収される。
【００３９】
（離間動作）
ワイピング動作の実行後、図１４に示すように、制御部１１０はワイパー部材３５を下降させてインク吐出面Ｆ１から離間させる。また、ワイピング動作の実行後、開閉弁制御部１１２は、チューブ７０の内部空間７０１が開放状態になるように開閉弁７３を制御する。このとき、ポンプ制御部１１１は、送液ポンプ７２の駆動停止状態を維持する。
【００４０】
最後に、制御部１１０は、記録部９と第１搬送ユニット５との間に配置されたメンテナンスユニット１９を水平移動させて第２搬送ユニット１２の下方に配置し、第１搬送ユニット５を所定の位置まで上昇させる。このようにして、記録ヘッド１７ａ〜１７ｃの回復動作を終了する。
【００４１】
本実施形態では、インク吐出領域Ｒ１に対してワイピング方向Ａ１の上流側に洗浄液２３を供給する複数の洗浄液供給口６３が設けられている。これにより、洗浄液供給口６３から洗浄液２３を供給した後、ワイパー部材３５を洗浄液供給口６３よりもワイピング方向Ａ１の上流側からインク吐出面Ｆ１に沿って移動させることによって、ワイパー部材３５で洗浄液２３を保持しながらインク吐出面Ｆ１を拭くことができる。このため、インク吐出面Ｆ１を清浄化することができる。
【００４２】
ところで、インク吐出面Ｆ１のワイピングを行う場合、インク吐出面Ｆ１から除去した廃インク、パージインク２２などのインクがワイパー部材３５に付着した状態になることがある。ワイパー部材３５にインクが付着した状態でインク吐出面Ｆ１のワイピングを行うと、洗浄液供給口６３からインクが浸入することで洗浄液供給口６３内の洗浄液２３が汚染されるおそれがある。また、ワイパー部材３５のインクが洗浄液供給口６３に付着すると、洗浄液供給口６３の目詰まりが発生するおそれがある。特に、洗浄液供給口６３内の洗浄液２３が乾燥した場合に、洗浄液供給口６３の目詰まりが発生しやすくなる。
【００４３】
これに対して、本実施形態のインクジェット記録装置１００では、開閉弁制御部１１２は、送液ポンプ７２が洗浄液供給部材６０に洗浄液を供給しない前記駆動停止期間のうちのワイパー部材３５（図１０〜図１４参照）によるワイピング動作を実行する期間において、チューブ７０の内部空間７０１が閉鎖状態になるように開閉弁７３を制御する。これにより、ワイパー部材３５が洗浄液供給口６３を通過するときにはワイパー部材３５により掻き取られなかった洗浄液２３が洗浄液供給口６３から押し込まれることを制限できる。そのため、インクジェット記録装置１００では、ワイパー部材３５にインクが付着している場合であっても、洗浄液供給口６３内の洗浄液２３がインクによって汚染されることを抑制できると共に、洗浄液供給口６３にインクが付着することを抑制できる。
【００４４】
また、開閉弁制御部１１２は、前記駆動停止期間のうちのワイピング動作を実行しない期間では、チューブ７０の内部空間７０１が開放状態になるように開閉弁７３を制御する。これにより、チューブ７０の内部空間７０１の洗浄液が自重などにより洗浄液供給口６３に移動することが許容される。そのため、インクジェット記録装置１００では、洗浄液供給口６３に洗浄液２３が存在する状態を維持でき、洗浄液供給口６３内の洗浄液が乾燥により消失することを抑制できる。
【００４５】
従って、インクジェット記録装置１００では、洗浄液２３の汚染及び洗浄液供給口６３の目詰まりの発生を抑制できる。
【００４６】
なお、ワイピング動作は、１回のパージ動作に対して複数回行ってもよい。また、環境温度、環境湿度、インクジェット記録装置１００の主電源オフ時間などに応じて、１回のパージ動作に対するワイピング動作の回数を決定してもよい。例えば、高温、低湿などのインクの乾燥速度が大きくインクの増粘性が高くなり易い環境である場合、主電源オフ時間が長い場合などは、１回のパージ動作に対してワイピング動作を２回又は３回行うことが考えられる。また、主電源オン時には、主電源オンから印刷開始前の所定時間の経過後にパージ動作及びワイピング動作を実行することが好ましい。
【００４７】
また、前述の実施形態では、洗浄液供給動作をワイピング動作の前に実行する例について示したが、洗浄液供給動作は、ワイパー部材３５が洗浄液供給領域Ｒ２に進入する前であれば、ワイピング動作と同時に実行してもよい。また、本実施形態では、パージ動作をワイピング動作の前に実行する例について示したが、パージ動作は、ワイパー部材３５がインク吐出領域Ｒ１に進入する前であれば、ワイピング動作と同時に実行してもよい。
【００４８】
また、上記実施形態では、洗浄液２３及びパージインク２２を用いて記録ヘッド１７ａ〜１７ｃの回復動作を行う例について示したが、洗浄液２３だけを用いて記録ヘッド１７ａ〜１７ｃの回復動作を行ってもよい。即ち、パージ動作は行わなくてもよい。
【００４９】
また、前述の実施形態では、洗浄液供給領域Ｒ２を有する洗浄液供給部材６０をヘッド部１８とは別体で設けた例について示した。しかしながら、本発明は、これに限らず、洗浄液供給部材６０を設けず、洗浄液供給口６３をヘッド部１８に設けてもよい。
【００５０】
また、上述した実施形態および変形例の構成を適宜組み合わせて得られる構成についても、本発明の技術的範囲に含まれる。
【符号の説明】
【００５１】
１００  インクジェット記録装置
１７ａ〜１７ｃ  記録ヘッド
１８ａ  インク吐出ノズル
２３  洗浄液
３５  ワイパー部材
６０  洗浄液供給部材
６３  洗浄液供給口
７０  チューブ
７０１  内部空間
７１  洗浄液タンク
７２  送液ポンプ
７３  開閉弁
１１０  制御部
１１１  ポンプ制御部
１１２  開閉弁制御部
Ｆ１  インク吐出面
Ｒ１  インク吐出領域
Ｆ２  洗浄液供給面
Ｒ２  洗浄液供給領域
Ａ１  ワイピング方向
【図１】
2018114660.tif 000003
【図２】
2018114660.tif 000004
【図３】
2018114660.tif 000005
【図４】
2018114660.tif 000006
【図５】
2018114660.tif 000007
【図６】
2018114660.tif 000008
【図７】
2018114660.tif 000009
【図８】
2018114660.tif 000010
【図９】
2018114660.tif 000011
【図１０】
2018114660.tif 000012
【図１１】
2018114660.tif 000013
【図１２】
2018114660.tif 000014
【図１３】
2018114660.tif 000015
【図１４】
2018114660.tif 000016